(57)【要約】【課題】携帯型情報機器などに使用される小型のインバータに対しても利用できる、衝撃緩衝対策をした圧電トランスインバータを提供することを目的とする。【解決手段】インバータの圧電トランス２とインバータ基板１とに跨るように接合部に液状のシリコン３を充填する。液状のシリコン３は、常温または硬化剤を添加することにより、液状からゲル状やゴム状に変化させることができる。この結果、シリコン３により圧電トランス２とインバータ基板１をまとめて包み込むように弾性を有しつつ固着される。これにより、シリコン３がその弾性力で衝撃を緩和するとともに、インバータ基板１の湾曲を軽減し、圧電トランス２への物理的負荷を軽減する。【選択図】図１
2006179545.tif 000002
【特許請求の範囲】
【請求項１】
圧電トランスと、前記圧電トランスが電気的に接合されたインバータ基板とを備え、前記圧電トランスと前記インバータ基板との接合部を挟んで前記圧電トランスと前記インバータ基板に跨るように緩衝材を用いたことを特徴とする圧電トランスインバータ。
【請求項２】
圧電トランスとインバータ基板接合面の反対面に跨るように緩衝材を用いたことを特徴とする請求項１記載の圧電トランスインバータ。
【請求項３】
少なくとも圧電トランス全体を覆うように緩衝材を用いたことを特徴とする請求項１記載の圧電トランスインバータ。
【請求項４】
圧電トランスとインバータ基板全体を覆うように緩衝材を用いたことを特徴とする請求項３記載の圧電トランスインバータ。
【請求項５】
圧電トランスとインバータ基板の少なくとも一部を覆うハードケースを備え、前記圧電トランスおよび前記インバータ基板と前記ハードケースとの間に緩衝材を用いたことを特徴とする請求項１記載の圧電トランスインバータ。
【請求項６】
ハードケースは、インバータのほぼ全体を覆うものであることを特徴とする請求項５記載の圧電トランスインバータ。
【請求項７】
緩衝材は、液状のシリコン系材料を常温または硬化剤にてゲル状またはゴム状に変化させたものであることを特徴とする請求項１乃至請求項６のいずれかに記載の圧電トランスインバータ。
【発明の詳細な説明】
【技術分野】
【０００１】
本発明はパーソナルコンピュータ等に用いられる液晶表示装置のバックライトを点灯させるための圧電トランスインバータ（圧電インバータとも呼ばれる）に関するものである。
【背景技術】
【０００２】
近年急激にパーソナルコンピュータが普及しており、現在ではノート型パソコンなどを携帯しての利用・持ち運びながらの利用等が増加している。
【０００３】
上記ノート型パソコンなどの情報機器を携帯する際に問題となっているのが、落下衝撃や加圧による圧縮から生じる破損である。運送中に誤って落下した場合、操作中に本体を落下した場合、何らかの圧力によって加圧された場合など、機器への衝撃を受ける機会は非常に多い。
【０００４】
その中でも液晶表示装置のバックライトに使用されているインバータの圧電トランスはセラミック材料が用いられているため、非常に衝撃に弱く、情報機器の落下衝撃によって破損することがある。また、トランス自体だけでなく、インバータ基板との接合部も破損することがある。
【０００５】
トランスを衝撃から保護するための従来の技術としては、トランスを堅固な構造の取り付け用金具等により、スペーサを挟んでトランス自体を包み込み、かつネジなどの固着具による組立・取り付け構造によって衝撃防止を図ったもの（特許文献１参照）や、緩衝材でトランスを包み込み、緩衝効果を増大させるもの（特許文献２参照）などがある。
【特許文献１】特開２００３−２２４０１４号公報
【特許文献２】特開昭５５−５８５０１号公報
【発明の開示】
【発明が解決しようとする課題】
【０００６】
しかし、前記従来技術におけるものは巻き線型トランスなど、重量が大きく別途取り付けのための補助部品を必要とする方法であり、小型の携帯用情報機器に用いる圧電トランスインバータには使用は困難である。また、トランス単体を緩衝材に包む構造ではトランス自体への衝撃しか緩衝することができない。つまり、圧電トランスとインバータ基板との接合部の破損を同時に防止できるようにしたものではない。
【０００７】
本発明は携帯型情報機器などに使用される小型のインバータに対しても利用できる、衝撃緩衝対策をした圧電トランスインバータを提供することを目的とする。
【課題を解決するための手段】
【０００８】
上記課題を解決するために、本発明は圧電トランスインバータの圧電トランスとインバータ基板をまとめてゲル状又はゴム状の物質で包み込むことにより、圧電トランス部への衝撃を緩衝させ、圧電トランスおよび圧電トランスとインバータ基板との接合部の破損を防止する。
【発明の効果】
【０００９】
以上のようにトランスと基板をまとめてゲル状又はゴム状の緩衝材で包むことにより、小型な圧電トランスインバータへの直接の衝撃および基板からの振動や物理的負荷（基板そりによるトランスへの負荷など）を緩衝することができ、ノート型パソコン等の落下などに対してトランス破損防止が可能となる。また絶縁物が放熱効果および絶縁効果も合わせ持つことができる。
【発明を実施するための最良の形態】
【００１０】
以下、本発明の実施の形態を、図面を参照しながら説明する。
【００１１】
（実施の形態１）
図１は本発明の第１の実施形態における圧電トランスインバータの外観斜視図である。圧電トランスインバータは携帯用情報機器の表示装置のバックライト用として用いられる。図において、１はインバータ基板、２は圧電トランスであり、インバータ基板１に載置され、端子部（図示せず）がインバータ基板１の印刷回路（図示せず）にハンダにより電気的に接合される。インバータ基板１には圧電トランス２以外にも複数の電子部品が配置されるが、本発明とは無関係のため、図を簡略化し省略している。従来の圧電インバータはこの状態で完成品となるが、本実施の形態ではさらに液状のシリコン３を圧電トランス２とインバータ基板１とに跨るように接合部に充填する。液状のシリコン３は、常温または硬化剤を添加することにより、液状からゲル状やゴム状に変化させることができる。この結果、シリコン３により圧電トランス２とインバータ基板１をまとめて包み込むように弾性を有しつつ固着される。
【００１２】
従来であれば、落下等によりインバータに衝撃が与えられた際、インバータ基板の湾曲やインバータ基板と圧電トランス間での振動が発生することで、圧電トランスに大きな物理的負荷が加わり破損に至ることがあったが、本実施の形態をとることでシリコン３がその弾性力で衝撃を緩和するとともに、インバータ基板１の湾曲を軽減し、圧電トランス２への物理的負荷を軽減することができる。
【００１３】
図２の外観斜視図は図１のシリコン３をインバータ基板１と圧電トランス２の接合面だけに使用するのではなく、インバータ基板１の反対面にまで用いたものである。この形態をとることにより、インバータ基板１の湾曲、振動等、圧電トランス２への物理的負荷をさらに軽減することができる。
【００１４】
（実施の形態２）
図３は本発明の第２の実施形態における圧電トランスインバータの外観斜視図である。本実施の形態において、第１の実施の形態と同じものは同一番号を付し、説明を省略する。第１の実施の形態と異なるところは、圧電トランス２全体および圧電トランス２とインバータ基板１の接合部分をシリコン３にて包んだところである。この形態をとることにより第１の実施の形態の効果に加え、圧電トランス２自体への衝撃も緩衝される。また圧電トランス２全体をシリコン３にて包み込むことにより、シリコンの材料としての特性である、絶縁性や放熱性を利用し、圧電トランス２の絶縁および放熱の機能も果たしている。
【００１５】
図４の外観斜視図は図３のシリコン３を圧電トランス２全体およびインバータ基板１と圧電トランス２の接合面だけに使用するのではなく、インバータ基板１の反対面にまで用いたものである。この形態をとることにより、インバータ基板１の湾曲、振動等、圧電トランス２への物理的負荷をさらに軽減することができる。
【００１６】
図５の外観斜視図はインバータ全体をシリコン３で包み込んだ図である。インバータ全体をシリコン３で包み込むことにより、インバータ全体に対する衝撃およびインバータ基板１の湾曲を防止することができ、圧電トランス２のインバータ基板１との接合部および圧電トランス２の破損をさらに防ぐことができる。
【００１７】
（実施の形態３）
図６は本発明の第３の実施形態における圧電トランスインバータの外観斜視図、図７はその断面図である。本実施の形態において、第１の実施の形態と同じものは同一番号を付し、説明を省略する。図において、圧電トランス２全体およびインバータ基板１の一部をハードケース４にて覆い、その後、圧電トランス２およびインバータ基板１とハードケース４の間の隙間にシリコン３を充填する。この形態をとることにより、圧電トランス２のインバータ基板１との接合部および圧電トランス２への衝撃をより一層低減し、ゲル状のシリコンを用いてもシリコンが他部へ流出することの無い構造を実現できる。
【００１８】
図８の外観斜視図はインバータ全体をハードケース５にて覆ったものである。圧電トランス２およびインバータ基板１とハードケース５の間の隙間にシリコン３を充填することにより、インバータ全体に対する衝撃およびインバータ基板１の湾曲を防止することができ、圧電トランス２のインバータ基板１との接合部および圧電トランス２の破損をさらに防ぐことができる。
【００１９】
なお、上記これらの実施の形態では、緩衝材として液状のシリコンをゲル状やゴム状に変化させたものを使用するようにしたが、これに限定されるものではなく、ゲル状やゴム状のものであれば何でもかまわない。
【００２０】
また、本実施の形態では圧電トランスとしたが、衝撃に弱いトランスであれば同様に適用可能である。
【産業上の利用可能性】
【００２１】
本発明にかかる圧電トランスインバータは、落下・振動等の衝撃による破損を防止することができるので、ノート型パソコン等持ち運びの伴う携帯型情報機器に有用である。
【図面の簡単な説明】
【００２２】
【図１】本発明の第１の実施形態における圧電トランスインバータの外観斜視図
【図２】本発明の第１の実施形態における他の例の圧電トランスインバータの外観斜視図
【図３】本発明の第２の実施形態における圧電トランスインバータの外観斜視図
【図４】本発明の第２の実施形態における他の例の圧電トランスインバータの外観斜視図
【図５】本発明の第２の実施形態における他の例の圧電トランスインバータの外観斜視図
【図６】本発明の第３の実施形態における圧電トランスインバータの外観斜視図
【図７】本発明の第３の実施形態における圧電トランスインバータの断面図
【図８】本発明の第３の実施形態における他の例の圧電トランスインバータの外観斜視図
【符号の説明】
【００２３】
１  インバータ基板
２  圧電トランス
３  シリコン
４、５  ハードケース
【図１】
2006179545.tif 000003
【図２】
2006179545.tif 000004
【図３】
2006179545.tif 000005
【図４】
2006179545.tif 000006
【図５】
2006179545.tif 000007
【図６】
2006179545.tif 000008
【図７】
2006179545.tif 000009
【図８】
2006179545.tif 000010